(57)【要約】【課題】浴室ユニットのサイズを大きくすることなく且つ鏡又はカウンター等の設備が設置された場合でも前面全体を均一に光らせることができる壁パネル等を提供する。【解決手段】前方に向けて光を出射する壁パネル１であって、第１導光層１０と、第２導光層２０と、第２導光層２０に入射する光を発する光源（第２光源４０）とを備え、第１導光層１０は、前方に向けて光を出射する第１主面１１（前面１１ａ）を有し、第２導光層２０は、前方に向けて光を出射する第２主面２１（前面２１ａ）と、前記光源からの光が入射する第２端面２２（上面２２ａ）とを有し、第１導光層１０には、第２導光層２０から出射する光が入射し、第１導光層１０と第２導光層２０とは、光拡散性が異なる。【選択図】図２
2020181679.tif 000002
【特許請求の範囲】
【請求項１】
前方に向けて光を出射する壁パネルであって、
第１導光層と、
第２導光層と、
前記第２導光層に入射する光を発する光源とを備え、
前記第１導光層は、前記前方に向けて光を出射する第１主面を有し、
前記第２導光層は、前記前方に向けて光を出射する第２主面と、前記光源からの光が入射する第２端面とを有し、
前記第１導光層には、前記第２導光層から出射する光が入射し、
前記第１導光層と前記第２導光層とは、光拡散性が異なる、
壁パネル。
【請求項２】
前記第２導光層に入射する光を発する前記光源を第２光源とし、
さらに、前記第１導光層に入射する光を発する第１光源を備え、
前記第１導光層は、前記第１光源からの光が入射する第１端面を有する、
請求項１に記載の壁パネル。
【請求項３】
前記第１光源と前記第２光源とは一体である、
請求項２に記載の壁パネル。
【請求項４】
前記第１導光層に前記第１光源の光が入射したときの前記第１導光層における前記第１端面から所定の距離の位置での直進光は、前記第２導光層に前記第２光源の光が入射したときの前記第２導光層における前記第２端面から前記所定の距離の位置での直進光よりも少ない、
請求項２又は３に記載の壁パネル。
【請求項５】
前記第１端面及び前記第２端面は、鉛直方向上側の端面であり、
前記第１光源は、前記第１端面の上側に配置され、
前記第２光源は、前記第２端面の上側に配置される、
請求項２〜４のいずれか１項に記載の壁パネル。
【請求項６】
前記第１光源が発する光の強度と前記第２光源が発する光の強度とは略同等である、
請求項２〜５のいずれか１項に記載の壁パネル。
【請求項７】
前記第２光源が発する光の強度は、前記第１光源が発する光の強度よりも大きい、
請求項２〜６のいずれか１項に記載の壁パネル。
【請求項８】
前記第１光源及び前記第２光源の少なくとも一方について、調光及び調色の少なくとも一方の制御を行う制御部をさらに備える、
請求項２〜７のいずれか１項に記載の壁パネル。
【請求項９】
前記第１主面の面積は、前記第２主面の面積よりも大きい、
請求項１〜８のいずれか１項に記載の壁パネル。
【請求項１０】
前記第２導光層は、前記第１導光層の側方に位置し、
前記第１端面及び前記第２端面は、前記第１導光層と前記第２導光層との並び方向に交差する方向に位置する、
請求項１〜９のいずれか１項に記載の壁パネル。
【請求項１１】
前記第１導光層と前記第２導光層とは、それぞれ異なる部材によって構成されている、
請求項１〜１０のいずれか１項に記載の壁パネル。
【請求項１２】
前記第１導光層と前記第２導光層とは隣り合って配置される、
請求項１〜１１のいずれか１項に記載の壁パネル。
【請求項１３】
前記第２導光層から前記第１導光層に向かって導光効率に傾斜を有する、 
請求項１２に記載の壁パネル。
【請求項１４】
前記第２導光層において、前記第２端面側よりも前記第２端面とは反対側の端面側の方が、前記第２導光層から前記第１導光層に向かう光の光量が大きい、
請求項１２又は１３に記載の壁パネル。
【請求項１５】
前記第２導光層において、前記第１端面及び前記第１導光層側の側面以外の面の少なくとも一つの面に光反射層を有する、
請求項１２〜１４のいずれか１項に記載の壁パネル。
【請求項１６】
前記第１導光層と前記第２導光層との並び方向に直交する方向において、前記第１導光層と前記第２導光層との長さが略同等である、
請求項１２〜１５のいずれか１項に記載の壁パネル。 
【請求項１７】
請求項１〜１６のいずれか１項に記載の壁パネルを備える、
浴室ユニット。
【発明の詳細な説明】
【技術分野】
【０００１】
本発明は、壁パネル及びこれを用いた浴室ユニットに関する。
【背景技術】
【０００２】
浴室の壁等、比較的に大面積の壁面を光らせることができる壁パネル及び浴室ユニットが知られている（例えば特許文献１、２）。
【０００３】
特許文献１には、透光性の中間部材と中間部材の上方に配置された照明装置とを備えるユニットバスルーム用壁パネルが開示されている。特許文献１に開示された従来の壁パネルは、洗い場に面して設置されており、照明装置の光によって壁パネルの前面全体を発光させることができる構造になっている。
【０００４】
また、特許文献２には、浴室ユニット本体に設けられる半透明の壁パネルと、壁パネルの背面側（裏側）に設けられた複数の照明器具とを備える浴室ユニットが開示されている。特許文献２に開示された従来の浴室ユニットでは、複数の照明器具の光を半透明の壁パネルにあてて光を乱反射させることで壁パネルの前面全体を発光させている。
【先行技術文献】
【特許文献】
【０００５】
【特許文献１】特開２００４−１０８００５号公報
【特許文献２】特開２００４−３２５８０３号公報
【発明の概要】
【発明が解決しようとする課題】
【０００６】
しかしながら、特許文献１に開示された従来の壁パネルでは、大面積の壁パネルの前面に、鏡、カウンター又は窓等の設備が設置された場合に、これらの設備の下方部分が他の部分と比べて暗く感じるという課題がある。
【０００７】
また、特許文献２に開示された従来の浴室ユニットでは、壁パネルの背面側に照明器具が設置されているので、照明器具を設置するためのスペースが必要となり、浴室ユニットのサイズが大きくなるという課題がある。
【０００８】
本発明は、このような課題を解決するためになされたものであり、浴室ユニットのサイズを大きくすることなく且つ鏡又はカウンター等の設備が設置された場合でも前面全体を均一に光らせることができる壁パネル等を提供することを目的とする。
【課題を解決するための手段】
【０００９】
本発明に係る壁パネルの一態様は、前方に向けて光を出射する壁パネルであって、第１導光層と、第２導光層と、前記第２導光層に入射する光を発する光源とを備え、前記第１導光層は、前記前方に向けて光を出射する第１主面を有し、前記第２導光層は、前記前方に向けて光を出射する第２主面と、前記光源からの光が入射する第２端面とを有し、前記第１導光層には、前記第２導光層から出射する光が入射し、前記第１導光層と前記第２導光層とは、光拡散性が異なる。
【００１０】
本発明に係る浴室ユニットの一態様は、上記の壁パネルを備える。
【発明の効果】
【００１１】
浴室ユニットのサイズを大きくすることなく且つ鏡又はカウンター等が設置された場合でも前面全体を均一に光らせることができる壁パネル等を実現できる。
【図面の簡単な説明】
【００１２】
【図１】実施の形態１に係る浴室ユニットの構成を示す図である。
【図２】前方側から見たときの実施の形態１に係る壁パネルの内部構造を示す図である。
【図３】後方側から見たときの実施の形態１に係る壁パネルの内部構造を示す図である。
【図４】実施の形態１に係る壁パネルをＸＺ平面で切断したときの断面図である。
【図５】実施の形態１に係る壁パネルをＸＹ平面で切断したときの断面図である。
【図６】浴室設備が設置された状態の実施の形態１に係る壁パネルの光学作用を示す図である。
【図７】実施の形態１の変形例に係る壁パネルをＸＹ平面で切断したときの断面図である。
【図８】実施の形態２に係る壁パネルの内部構造を示す図である。
【図９】変形例１に係る壁パネルの内部構造を示す図である。
【図１０】変形例２に係る壁パネルの内部構造を示す図である。
【発明を実施するための形態】
【００１３】
以下、本発明の実施の形態について、図面を参照しながら説明する。なお、以下に説明する実施の形態は、いずれも本発明の一具体例を示すものである。したがって、以下の実施の形態で示される、数値、形状、材料、構成要素、構成要素の配置位置及び接続形態等は、一例であって本発明を限定する主旨ではない。よって、以下の実施の形態における構成要素のうち独立請求項に記載されていない構成要素については、任意の構成要素として説明される。
【００１４】
各図は模式図であり、必ずしも厳密に図示されたものではない。また、各図において、実質的に同一の構成に対しては同一の符号を付し、重複する説明は省略又は簡略化される場合がある。また、下記の実施の形態において、「略」等の表現には、製造誤差や寸法公差等を含むという意味もある。
【００１５】
また、本明細書及び図面において、Ｘ軸、Ｙ軸及びＺ軸は、三次元直交座標系の三軸を表している。したがって、Ｘ軸及びＹ軸は、互いに直交し、かつ、いずれもＺ軸に直交する軸である。具体的には、Ｚ軸方向を鉛直方向にしている。
【００１６】
（実施の形態１）
まず、実施の形態１に係る壁パネル１及び浴室ユニット２について、図１〜図５を用いて説明する。図１は、実施の形態１に係る浴室ユニット２の構成を示す図である。図２及び図３は、実施の形態１に係る壁パネル１の内部構造を示す図である。図２は、同壁パネル１を前方側から見たときの図であり、図３は、同壁パネル１を後方側から見たときの図である。図４は、同壁パネル１をＸＺ平面で切断したときの断面図である。図５は、同壁パネル１をＸＹ平面で切断したときの断面図である。なお、図２及び図３では、前面板６０及び筐体７０は省略している。また、図４では、第１導光層１０を通る平面で切断したときの断面を示している。また、図４及び図５では、第１光源３０及び第２光源４０を発光させて壁パネル１の前方に向けて光を照射させたときの状態を示している。なお、本実施の形態において、「前方」とは、Ｘ軸の正方向のことである。
【００１７】
図１に示すように、浴室ユニット２は、壁パネル１を備える。壁パネル１は、浴室ユニット２の浴室の壁を構成しており、壁パネル１の前面は、浴室ユニット２の浴室の壁面になっている。浴室ユニット２は、さらに、浴槽３と、水栓４と、シャワー５と、鏡６と、カウンター７とを備える。
【００１８】
図１〜図５に示すように、壁パネル１は、第１導光層１０と、第２導光層２０と、第１導光層１０に入射する光を発する第１光源３０と、第２導光層２０に入射する光を発する第２光源４０とを備える。本実施の形態において、壁パネル１は、さらに、制御部５０と、前面板６０と、筐体７０とを備える。
【００１９】
なお、壁パネル１は、浴室ユニット２の壁を構成する建築構造体として機能するとともに、前方に向けて光を出射する照明装置として機能する。具体的には、壁パネル１は、浴室ユニット２の浴室空間に向けて光を照射する。
【００２０】
第１導光層１０及び第２導光層２０は、光を導光する機能を有する。本実施の形態において、第１導光層１０及び第２導光層２０は、平面視形状が矩形状の板状の導光板である。第１導光層１０及び第２導光層２０は、透光性を有する透光材料によって構成されている。第１導光層１０及び第２導光層２０は、例えば、アクリル樹脂又はポリカーボネート樹脂等の透光性樹脂材料によって構成されている。また、第１導光層１０及び第２導光層２０は、向こう側が透けて見える程度に透過率が高い透明樹脂材料を用いて構成されているとよい。本実施の形態において、第１導光層１０及び第２導光層２０は、アクリル樹脂からなる透明板によって構成されている。なお、第１導光層１０及び第２導光層２０は、樹脂材料によって構成された透明樹脂板に限らず、透明ガラスによって構成されたガラス板であってもよい。
【００２１】
図２〜図５に示すように、第１導光層１０は、第１主面１１と、第１端面１２とを有する。本実施の形態において、第１主面１１及び第１端面１２は、一対ずつ設けられている。
【００２２】
一対の第１主面１１は、平行であり、各々がＸ軸と直交する平面である。一対の第１主面１１のうちの一方は、前方側（浴室側）の前面１１ａであり、一対の第１主面１１のうちの他方は、後方側の背面１１ｂである。
【００２３】
一方の第１主面１１である前面１１ａは、前方に向けて光を出射する光出射面であり、第１導光層１０内を導光する光が外部に出射することで光る擬似発光面となる。本実施の形態において、前面１１ａは、第１導光層１０内を導光する光の多くが外部に出ていく主光出射面である。
【００２４】
図３に示すように、他方の第１主面１１である背面１１ｂには、複数のプリズム１３が設けられている。複数のプリズム１３の各々は、第１導光層１０内を進行する光を前面１１ａ側に向けて反射させる反射面を有する反射プリズムである。第１光源３０から第１導光層１０に入射した光が複数のプリズム１３で反射することによって第１導光層１０の前面１１ａ全体が面状に擬似発光する。複数のプリズム１３の各々は、例えば所定形状に加工された微細な凹部である。一例として、複数のプリズム１３は、断面形状が三角形状の凹部である。なお、複数のプリズム１３の各々は、凹部に限らず、凸部であってもよい。また、複数のプリズム１３は、背面１１ｂの全体に等ピッチで均一にドット状に点在するように配列されているが、プリズム１３の配列は、これに限るものではない。
【００２５】
図２〜図４に示すように、一対の第１端面１２は、鉛直方向（Ｚ軸方向）に対向して設けられている。一対の第１端面１２のうちの一方は、鉛直方向上側に位置する上面１２ａであり、一対の第１端面１２のうちの他方は、鉛直方向下側に位置する下面１２ｂである。
【００２６】
一方の第１端面１２である上面１２ａは、第１光源３０からの光が入射する光入射面である。上面１２ａは、Ｚ軸と直交する平面であってもよいが、これに限らない。例えば、上面１２ａは、第１光源３０からの光を第１導光層１０に効率よく入射させるために凹状に湾曲した湾曲面であってもよい。
【００２７】
他方の第１端面１２である下面１２ｂは、上面１２ａとは反対側の端面である。下面１２ｂは、Ｚ軸と直交する平面であってもよいが、これに限らない。なお、第１光源３０から第１導光層１０に入射した光は、下面１２ｂからも出射してもよい。
【００２８】
図２〜図５に示すように、第２導光層２０は、第１導光層１０と同様に、第２主面２１と、第２端面２２とを有する。第２導光層２０についても第１導光層１０と同様に、第２主面２１及び第２端面２２は、一対ずつ設けられている。
【００２９】
一対の第２主面２１は、平行であり、各々がＸ軸と直交する平面である。一対の第２主面２１のうちの一方は、前方側（浴室側）の前面２１ａであり、一対の第２主面２１のうちの他方は、後方側の背面２１ｂである。本実施の形態において、第２導光層２０の前面２１ａは、第１導光層１０の前面１１ａと同一平面であり、また、第２導光層２０の背面２１ｂは、第１導光層１０の背面１１ｂと同一平面である。
【００３０】
一方の第２主面２１である前面２１ａは、前方に向けて光を出射する光出射面であり、第２導光層２０内を導光する光が外部に出射することで光る擬似発光面となる。本実施の形態において、前面２１ａは、第２導光層２０内を導光する光の多くが外部に出ていく主光出射面である。
【００３１】
図３に示すように、他方の第２主面２１である背面２１ｂには、複数のプリズム２３が設けられている。複数のプリズム２３の各々は、第２導光層２０内を進行する光を前面２１ａ側に向けて反射させる反射面を有する反射プリズムである。第２光源４０から第２導光層２０に入射した光が複数のプリズム２３で反射することによって第２導光層２０の前面２１ａ全体が面状に擬似発光する。複数のプリズム２３の各々は、例えば所定形状に加工された微細な凹部である。第２導光層２０のプリズム２３は、第１導光層１０のプリズム１３と同じサイズ及び同じ形状であるが、これに限らない。一例として、複数のプリズム２３は、断面形状が三角形状の凹部である。なお、複数のプリズム２３の各々は、凹部に限らず、凸部であってもよい。
【００３２】
図２〜図４に示すように、一対の第２端面２２は、鉛直方向（Ｚ軸方向）に対向して設けられている。一対の第２端面２２のうちの一方は、鉛直方向上側に位置する上面２２ａであり、一対の第２端面２２のうちの他方は、鉛直方向下側に位置する下面２２ｂである。本実施の形態において、第２導光層２０の上面２２ａは、第１導光層１０の上面１２ａと同一平面であり、また、第２導光層２０の下面２２ｂは、第１導光層１０の下面１２ｂと同一平面である。
【００３３】
一方の第２端面２２である上面２２ａは、第２光源４０からの光が入射する光入射面である。上面２２ａは、Ｚ軸と直交する平面であってもよいが、これに限らない。例えば、上面２２ａは、第２光源４０からの光を第２導光層２０に効率よく入射させるために凹状に湾曲した湾曲面であってもよい。
【００３４】
他方の第２端面２２である下面２２ｂは、上面２２ａとは反対側の端面である。下面２２ｂは、Ｚ軸と直交する平面であってもよいが、これに限らない。なお、第２光源４０から第２導光層２０に入射した光は、下面２２ｂからも出射してもよい。
【００３５】
図３に示すように、第１導光層１０に設けられた複数のプリズム１３と第２導光層２０に設けられた複数のプリズム２３とは、密度分布が異なっている。つまり、第２導光層２０のプリズム２３の配置密度と第１導光層１０のプリズム１３の配置密度とが異なっている。これにより、第１導光層１０と第２導光層２０とは、光拡散性が異なる。つまり、第１導光層１０と第２導光層２０とでは導光効率が異なる。
【００３６】
本実施の形態では、第２導光層２０の光拡散度が第１導光層１０の光拡散度よりも低くなっている。つまり、第１導光層１０と第２導光層２０とに同じ光量の光を入射させたときに、第２導光層２０の方が、第１導光層１０に比べて、入射した光を拡散させる割合が小さくなっている。具体的には、第１光源３０が発する光の強度と第２光源４０が発する光の強度とが略同等である場合、第１導光層１０に第１光源３０の光が入射したときの第１導光層１０における上面１２ａ（一方の第１端面１２）から下面１２ｂ（他方の第１端面１２）の方向に向かって上面１２ａから所定の距離の位置での直進光は、第２導光層２０に第２光源４０の光が入射したときの第２導光層２０における上面２２ａ（一方の第２端面２２）から下面２２ｂ（他方の第２端面２２）の方向に向かって上面２２ａから前記所定の距離と同じ距離の位置での直進光よりも少ない。
【００３７】
本実施の形態では、第１導光層１０のプリズム１３の配置密度と第２導光層２０のプリズム２３の配置密度とを異ならせることで、第１導光層１０と第２導光層２０との光拡散性を異ならせている。具体的には、第２導光層２０のプリズム２３の配置密度が第１導光層１０のプリズム１３の配置密度よりも低くなっている。言い換えると、第１導光層１０のプリズム１３の配置密度の方が第２導光層２０のプリズム２３の配置密度よりも高くなっている。これにより、第２導光層２０の光拡散度を第１導光層１０の光拡散度よりも低くすることができる。
【００３８】
第２導光層２０は、第１導光層１０の側方に位置している。具体的には、第１導光層１０と第２導光層２０とは隣り合って配置されている。本実施の形態では、第１導光層１０の両側の各々に第２導光層２０が配置されている。つまり、第１導光層１０は、２つの第２導光層２０によって挟まれている。したがって、第１導光層１０の第１端面１２及び第２導光層２０の第２端面２２は、第１導光層１０と第２導光層２０との並び方向に交差する方向に位置することになる。
【００３９】
このように、第１導光層１０と第２導光層２０とが隣り合っているので、第２導光層２０には、第１導光層１０から出射する光が入射する。具体的には、第１導光層１０内を導光する光の一部は、第１導光層１０の側面から出射して第２導光層２０の側面から第２導光層２０に入射する。
【００４０】
また、第１導光層１０と第２導光層２０とが隣り合っているので、第１導光層１０には、第２導光層２０から出射する光が入射する。具体的には、第２導光層２０内を導光する光の一部は、第１導光層１０の側面から出射して第２導光層２０の側面から第２導光層２０に入射する。
【００４１】
この場合、鉛直方向においては第２導光層２０の方が第１導光層１０よりも同一平面において相対的に直進光が多いので、鉛直下方に向かうほど第２導光層２０から第１導光層１０に入射する光の割合の方が第１導光層１０から第２導光層２０に入射する光の割合の方が多くなる。
【００４２】
また、第１導光層１０と第２導光層２０とは、それぞれ異なる部材によって構成されている。具体的には、第１導光層１０と第２導光層２０とは、別体であり、形状が異なる別部品によって構成されている。これにより、光拡散性が異なる第１導光層１０及び第２導光層２０の加工が簡易にすることができる。
【００４３】
本実施の形態において、第１導光層１０が主導光層となっており、図２及び図３に示すように、第１導光層１０の第１主面１１の面積が第２導光層２０の第２主面２１の面積よりも大きくなっている。つまり、第１導光層１０の前面１１ａ及び背面１１ｂの面積は、第２導光層２０の前面２１ａ及び背面２１ｂの面積よりも大きい。具体的には、第１導光層１０と第２導光層２０との並び方向（本実施の形態ではＹ軸方向）においては、第１導光層１０の長さが第２導光層２０の長さよりも長くなっており、また、第１導光層１０と第２導光層２０との並び方向に直交する方向（本実施の形態ではＺ軸方向）においては、第１導光層１０と第２導光層２０との長さが略同等になっている。
【００４４】
また、本実施の形態において、第２導光層２０は、鉛直方向に延在する長尺状の部材である。具体的には、第２導光層２０は、棒状部材である。より具体的には、第２導光層２０は、バー状の直方体からなる板部材である。なお、第２導光層２０は、直方体に限らず、円柱であってもよい。つまり、第２導光層２０は、長尺円柱状の導光棒であってもよい。この場合、第２導光層２０の第２主面２１は、曲面となる。
【００４５】
第１光源３０は、第１導光層１０に入射する光を発する発光装置である。同様に、第２光源４０は、第２導光層２０に入射する光を発する発光装置である。
【００４６】
図２〜図４に示すように、第１光源３０は、第１導光層１０の上面１２ａ（一方の第１端面１２）の上側に配置される。具体的には、第１光源３０は、第１導光層１０の上面１２ａに対向して配置される。つまり、第１光源３０と第１導光層１０とはエッジライト構造になっている。具体的には、第１光源３０の発光面と第１導光層１０の上面１２ａとが対面している。
【００４７】
同様に、第２光源４０は、第２導光層２０の上面２２ａ（一方の第２端面２２）の上側に配置される。具体的には、第２光源４０は、第２導光層２０の上面２２ａに対向して配置される。つまり、第２光源４０と第２導光層２０とはエッジライト構造になっている。具体的には、第２光源４０の発光面と第２導光層２０の上面２２ａとが対面している。
【００４８】
第１光源３０及び第２光源４０の各々は、ＬＥＤによって構成されたＬＥＤ光源である。本実施の形態において、第１光源３０及び第２光源４０は、白色光を放射する白色ＬＥＤ光源である。第１光源３０からから出射した白色光は、第１導光層１０の上面１２ａから第１導光層１０内に入射する。また、第２光源４０からから出射した白色光は、第２導光層２０の上面２２ａから第２導光層２０内に入射する。
【００４９】
第１光源３０は、基板３１と、基板３１に実装された１個又は複数の発光素子３２とを有する。本実施の形態では、複数の発光素子３２が長尺状の１つの基板３１に直線状に一列で実装されている。一例として、発光素子３２は、５個実装されているが、発光素子３２の実装数は、これに限らない。
【００５０】
また、第２光源４０は、基板４１と、基板４１に実装された１個又は複数の発光素子４２とを有する。本実施の形態では、１つの発光素子４２が基板４１に実装されている。
【００５１】
基板３１及び４１は、例えば配線がパターン形成された配線基板である。基板３１及び４１としては、樹脂基板、セラミック基板又は絶縁被膜された金属基板等を用いることができる。
【００５２】
発光素子３２及び４２は、ＬＥＤによって構成されたＬＥＤ素子である。本実施の形態において、発光素子３２及び４２は、個々にパッケージ化された表面実装（ＳＭＤ：Ｓｕｒｆａｃｅ  Ｍｏｕｎｔ  Ｄｅｖｉｃｅ）型のＬＥＤ素子であり、樹脂製等の容器（パッケージ）と、容器内に配置されたＬＥＤチップ（ベアチップ）と、ＬＥＤチップを封止する封止部材とを備える。具体的には、発光素子３２及び４２は、白色光を放出するＳＭＤ型の白色ＬＥＤ素子である。この場合、ＬＥＤチップとしては、通電されると青色光を発する青色ＬＥＤチップを用いて、容器に充填される封止部材としては、黄色蛍光体が含有されたシリコーン樹脂（蛍光体含有樹脂）を用いることができる。
【００５３】
なお、発光素子３２及び４２そのものがＬＥＤチップ（ベアチップ）であるＬＥＤ素子であってもよい。この場合、第１光源３０及び第２光源４０は、ＬＥＤチップ（発光素子３２及び４２）が基板３１及び４１に直接実装されたＣＯＢ（Ｃｈｉｐ  Ｏｎ  Ｂｏａｒｄ）構造となる。例えば、１個又は複数個のＬＥＤチップを基板３１及び４２に実装することによって、第１光源３０及び第２光源４０としてＣＯＢ構造のＬＥＤモジュールを構成することができる。また、白色光を放射するＣＯＢ構造のＬＥＤモジュールを用いる場合、例えば、ＬＥＤチップ（発光素子３２及び４２）として青色ＬＥＤチップを用いて、この青色ＬＥＤチップを、黄色蛍光体が含有されたシリコーン樹脂からなる封止部材で封止すればよい。この場合、青色ＬＥＤチップが複数である場合、封止部材は複数の青色ＬＥＤチップを個々に封止してもよいし、封止部材を直線状に形成して全ての青色ＬＥＤチップが１本の封止部材で一括封止されていてもよい。
【００５４】
第１光源３０及び第２光源４０は、電源から供給される電力によって発光する。電源は、例えば、複数の回路部品が実装された回路基板によって構成されており、商用交流電力を受電して所定の電力（例えば直流電力）に変換して当該電力を第１光源３０及び第２光源４０に供給する。これにより、第１光源３０の発光素子３２及び第２光源４０の発光素子４２が発光する。本実施の形態では、第１光源３０が発する光の強度と第２光源４０が発する光の強度とが略同等となるように、第１光源３０及び第２光源４０に所定の電力が供給されている。なお、電源は、制御部５０と一体に構成されていてもよいし、別体であってもよい。
【００５５】
制御部５０は、第１光源３０及び第２光源４０の少なくとも一方について、調光及び調色の少なくとも一方の制御を行う。したがって、第１光源３０及び第２光源４０は、調光されるだけではなく調色可能なＬＥＤ光源である。例えば、制御部５０は、調光回路及び調色回路等の制御回路によって構成されている。制御部５０によって第１光源３０及び第２光源４０に投入する電力を制御することで、第１光源３０及び第２光源４０の各々における明るさ及び光色を変更することができる。
【００５６】
図４及び図５に示すように、前面板６０は、第１導光層１０及び第２導光層２０の前方側に配置された透光性部材である。具体的には、前面板６０は、第１導光層１０の前面１１ａと第２導光層２０の前面２１ａとを覆っている。前面板６０を配置することで、第１導光層１０及び第２導光層２０を保護することができる。
【００５７】
前面板６０は、第１導光層１０の前面１１ａから出射した光及び第２導光層２０の前面２１ａから出射した光を吸収しないように、高い光透過率を有する透明材料によって構成されているとよい。また、前面板６０は、浴室ユニット２の浴室の壁面を構成するので、高強度であるとともに優れた耐久性及び耐水性等を有するとよい。一例として、前面板６０は、アクリル樹脂又はガラス材料からなる透明板である。
【００５８】
筐体７０は、第１導光層１０、第２導光層２０、第１光源３０、第２光源４０及び制御部５０を収納する。筐体７０は、例えば、開口部を有する箱状部材である。前面板６０は、筐体７０の開口部を塞ぐように配置されている。筐体７０は、例えば、金属材料又は樹脂材料によって構成されている。
【００５９】
このように構成される本実施の形態に係る壁パネル１では、第１導光層１０と第２導光層２０との光拡散性が異なっている。具体的には、図６に示すように、第１導光層１０に第１光源３０の光が入射したときの第１導光層１０における上面１２ａから所定の距離の位置での直進光が、第２導光層２０に第２光源４０の光が入射したときの第２導光層２０における上面２２ａから前記所定の距離の位置での直進光よりも少ない。なお、図６は、鏡６及びカウンター７の浴室設備が設置された状態の実施の形態１に係る壁パネル１の光学作用を示す図である。
【００６０】
この構成により、第１導光層１０の上面１２ａ及び第２導光層２０の上面２２ａから離れる方向（鉛直方向）においては第２導光層２０の方が第１導光層１０よりも同一平面において相対的に直進光が多くなるので、上面１２ａ及び２２ａから離れるほど、第２導光層２０から第１導光層１０に入射する光の割合を第１導光層１０から第２導光層２０に入射する光の割合の方が多くなる。
【００６１】
これにより、図６に示すように、壁パネル１の第１導光層１０の前方側に鏡６又はカウンター７等の備品が設置された場合であっても、第２導光層２０の光を第１導光層１０に入射させて鏡６又はカウンター７等の備品の下方部分にまで行き渡らせることができる。したがって、第１導光層１０では、第１光源３０による上からの光だけではなく、第２導光層２０による横からの光も加わって、前面１１ａから光が出射することになる。このため、壁パネル１の前面に鏡６又はカウンター７等の備品が設置された場合であっても、壁パネル１の前面全体を均一に光らせることができ、備品の下方部分が他の部分と比べて暗く感じることを抑制することができる。
【００６２】
しかも、本実施の形態に係る壁パネル１では、第１導光層１０の第１端面１２である上面１２ａから第１光源３０の光を第１導光層１０に入射させるとともに、第２導光層２０の第２端面２２である上面２２ａから第２光源４０の光を第２導光層２０に入射させている。具体的には、本実施の形態に係る壁パネル１では、第１導光層１０の背面１１ｂ及び第２導光層２０の背面２１ｂに対向して光源を配置するのではなく、第１導光層１０の第１端面１２及び第２導光層２０の第２端面２２に対向して第１光源３０及び第２光源４０を配置している。
【００６３】
これにより、浴室ユニット２の壁を構成する壁パネル１の厚みが大きくなることを抑制できるので、浴室ユニット２のサイズが大きくなることを抑制できる。
【００６４】
以上、本実施の形態に係る壁パネル１によれば、浴室ユニット２のサイズを大きくすることなく且つ鏡又はカウンター等が設置された場合でも前面全体を均一に光らせることができる。
【００６５】
また、本実施の形態に係る浴室ユニット２は、前面全体を均一に光る壁パネル１を備えているので、浴室空間の演出効果を高めることが可能である。例えば、この壁パネル１を用いることで、くつろぎ感だけでなく、幻想感のある浴室空間を容易に演出することができる。また、壁パネル１を照明装置として用いることで、浴室の天井に設けられた主照明とは異なる光によって浴室空間のシーンを切り替えることができるので、よりくつろぎ感を演出することができる。また、浴室の壁を面で光ることで、浴室の快適性が向上する。
【００６６】
さらに、本実施の形態に係る壁パネル１は、第１光源３０及び第２光源４０の少なくとも一方について、調光及び調色の少なくとも一方の制御を行う制御部５０を備えている。
【００６７】
この構成により、第１光源３０及び第２光源４０を調光制御及び調色制御することで、空間演出効果を一層向上させることができる。
【００６８】
また、本実施の形態に係る壁パネル１及び浴室ユニット２では、第１導光層１０の上面１２ａ及び第２導光層２０の上面２２ａは、鉛直方向上側の端面である。そして、第１光源３０は、第１導光層１０の上面１２ａの上側に配置され、第２光源４０は、第２導光層２０の上面２２ａの上側に配置されている。
【００６９】
この構成により、壁パネル１の浴室ユニット２のサイズが大きくなることを抑制できるだけではなく、壁パネル１の施工性及びメンテナンス性を向上させることができる。
【００７０】
また、本実施の形態に係る壁パネル１において、第１導光層１０の第１主面１１の面積は、第２導光層２０の第２主面２１の面積よりも大きい。
【００７１】
この構成により、第１導光層１０を主導光層とし、第２導光層２０を副導光層として用いることができる。これにより、面積が大きい第１導光層１０の前方側に鏡６又はカウンター７等の備品が設置されて備品の下方部分が暗くなったとしても、第１導光層１０に追加的に配置される第２導光層２０によって、備品の下方部分が暗くなることを効果的に抑制することができる。
【００７２】
また、本実施の形態に係る壁パネル１において、第２導光層２０は、第１導光層１０の側方に位置し、第１導光層１０の第１端面１２及び第２導光層２０の第２端面２２は、第１導光層１０と第２導光層２０との並び方向に交差する方向に位置する。
【００７３】
この構成により、第１導光層１０の側方に、光入射面から離れた位置での直進光の割合が第１導光層１０よりも多い第２導光層２０が配置されるので、壁パネル１の前面全体をより均一に光らせることができる。また、第１導光層１０の側方に第２導光層２０を配置することで、壁パネル１に鏡６又はカウンター７等の備品を取り付けるときの取り付け自由度が高くなる。
【００７４】
また、本実施の形態における壁パネル１では、第１導光層１０の両側に第２導光層２０が配置されている。つまり、第１導光層１０が２つの第２導光層２０によって挟まれている。
【００７５】
この構成により、第１導光層１０の両側から光を入射させることができるので、鏡６又はカウンター７等の備品が設置された場合でも暗くなる箇所を効果的になくすことができる。したがって、壁パネル１の前面全体をより均一に光らせることができる。
【００７６】
また、本実施の形態に係る壁パネル１において、第１導光層１０と第２導光層２０とは隣り合って配置されている。
【００７７】
この構成により、第２導光層２０内を導光する光を第１導光層１０に入射させやすくなるので、第１導光層１０の前方側に鏡６又はカウンター７等の備品が設置された場合に、第２導光層２０の光を備品の下方部分にまで容易に行き渡らせることができる。したがって、鏡６又はカウンター７等の設備が設置された場合であっても、壁パネル１の前面全体をより均一に光らせることができる。このため、第１導光層１０と第２導光層２０とは近接しているとよく、さらには、第１導光層１０と第２導光層２０とは密着していることが望ましい。この場合、第１導光層１０と第２導光層２０との界面で光が反射しないように、第１導光層１０と第２導光層２０とは同じ屈折率の材料によって構成されているとよい。
【００７８】
また、本実施の形態に係る壁パネル１では、第２導光層２０において、上面２２ａ側よりも下面２２ｂ側の方が第２導光層２０から第１導光層１０に向かう光の光量が大きくなっている。例えば、第２導光層２０のプリズム２３の配置及び形状等を調整することで、上面２２ａ側よりも下面２２ｂ側の方が第２導光層２０から第１導光層１０に向かう光の光量を大きくすることができる。
【００７９】
第１導光層１０では、光入射面となる第１端面１２（上面１２ａ）から離れるにしたがって、第１導光層１０の前面１１ａから出射する光の光量が減少する。そこで、上面２２ａ側よりも下面２２ｂ側の方が第２導光層２０から第１導光層１０に向かう光の光量が大きくなるように第２導光層２０を構成することで、壁パネル１の前面全体をより均一に光らせることができる。また、カウンターの備品が壁パネル１の下部分に設置された場合は、壁パネル１の下部分がより暗くなりがちであるが、このように構成することで、壁パネル１の下部分が暗くなることを効果的に抑制することもできる。
【００８０】
特に、本実施の形態に係る壁パネル１では、第１導光層１０と第２導光層２０との並び方向に直交する方向において、第１導光層１０と第２導光層２０との長さが略同等になっている。
【００８１】
この構成により、壁パネル１の前面全体をより均一に光らせることができる。
【００８２】
また、本実施の形態に係る壁パネル１では、第１光源３０と第２光源４０とを用いており、第１導光層１０に光を入射させる光源と第２導光層２０に光を入射させる光源とを分けている。
【００８３】
この構成により、第１導光層１０に入射させる光の光量と第２導光層２０に入射させる光の光量とを容易に変えることができる。
【００８４】
この場合、本実施の形態に係る壁パネル１では、第１光源３０が発する光の強度と第２光源４０が発する光の強度とは略同等としたが、例えば、第２光源４０が発する光の強度を、第１光源３０が発する光の強度よりも大きくするとよい。
【００８５】
この構成により、第２導光層２０から第１導光層１０に入射する光の量が大きくなる。これにより、壁パネル１における第１光源３０及び第２光源４０から離れている部分（本実施の形態では鉛直方向の下側部分）まで容易に光らせることができるので、壁パネル１の前面全体をより均一に光らせることができる。
【００８６】
また、図７に示される壁パネル１Ａのように、第２導光層２０において、光入射面となる上面２２ａ及び第１導光層１０側の側面以外の面の少なくとも一つの面に光反射層８０を設けるとよい。つまり、光反射層８０は、第２導光層２０における光入射面及び光出射面以外を覆うように構成するとよい。
【００８７】
この構成により、第２導光層２０から外部に出ていく光を光反射層８０によって第２導光層２０の内部に取り込むことができるので、第２導光層２０から第１導光層１０への光の入射及び光出射面となる前面２１ａからより多くの光を出射させることができる。したがって、壁パネル１の前面全体を一層均一に光らせることができる。
【００８８】
具体的には、図７に示される壁パネル１Ａでは、光反射層８０は、２つの第２導光層２０の各々について、第１導光層１０側の側面とは反対側の側面、背面２１ｂ、及び、下面２２ｂに対面するように構成されている。さらに、光反射層８０は、第１導光層１０の背面１１ｂ及び下面１２ｂにも対面している。光反射層８０は、例えば樹脂材料又は金属材料によって形成された反射板である。具体的には、光反射層８０は、ＰＢＴ（ポリブチレンテレフタレート）等の樹脂材料を用いた作製された白色の樹脂成型品であってもよいし、樹脂成型品の内面にアルミニウム等の金属膜が形成されたものであってもよいし、アルミニウム等の金属材料によって形成された金属部品であってもよい。
【００８９】
（実施の形態２）
次に、実施の形態２に係る壁パネル１Ｂについて、図８を用いて説明する。図８は、実施の形態２に係る壁パネル１Ｂの内部構造を示す図である。図８は、同壁パネル１Ｂを後方側から見たときの図である。
【００９０】
本実施の形態における壁パネル１Ｂと上記実施の形態１における壁パネル１とは、第１導光層及び第２導光層の構成が異なる。具体的には、上記実施の形態１における壁パネル１では、第１導光層１０と第２導光層２０とが別々の部材によって構成されていたのに対して、本実施の形態における壁パネル１Ｂでは、第１導光層１０Ｂと第２導光層２０Ｂとは一体化されて１つの導光板９０によって構成されている。つまり、第１導光層１０Ｂ及び第２導光層２０Ｂは、導光板９０における第１導光領域及び第２導光領域となる。
【００９１】
以上、本実施の形態に係る壁パネル１Ｂによれば、上記実施の形態１に係る壁パネル１と同様の構成を有するので、浴室ユニット２のサイズを大きくすることなく且つ鏡又はカウンター等が設置された場合でも前面全体を均一に光らせることができる。
【００９２】
さらに、本実施の形態における壁パネル１Ｂでは、第１導光層１０Ｂ及び第２導光層２０Ｂが１つの導光板９０によって構成されている。
【００９３】
これにより、壁パネル１Ｂの取り付けが簡易になる。例えば、上記実施の形態１と比べて、壁パネル１Ｂを備える浴室ユニットを簡単に組み立てることができる。
【００９４】
さらに、本実施の形態における壁パネル１Ｂでは、第２導光層２０Ｂから第１導光層１０Ｂに向かって導光効率に傾斜を有する。具体的には、第２導光層２０Ｂから第１導光層１０Ｂに向かって光拡散度が徐々に高くなっている。言い換えると、第１導光層１０Ｂから第２導光層２０Ｂに向かって光拡散度が徐々に低くなっている。例えば、第１導光層１０Ｂのプリズム１３及び第２導光層２０Ｂのプリズム２３の密度分布を調整することで、第２導光層２０Ｂから第１導光層１０Ｂに向かって導光効率に傾斜を持たせることができる。
【００９５】
このように、第２導光層２０Ｂから第１導光層１０Ｂに向かって導光効率に傾斜を持たせることで、少ない導光ロスで壁パネル１Ｂの前面全体を均一に光らせることができる。具体的には、実施の形態１と比べて明るく光る壁パネル１Ｂを実現することができる。
【００９６】
（変形例）
以上、本発明に係る壁パネル及び浴室ユニット等について、実施の形態１、２に基づいて説明したが、本発明は、上記実施の形態１、２に限定されるものではない。
【００９７】
例えば、上記実施の形態１、２では、第１光源３０及び第２光源４０の両方が配置されていたが、第２光源４０のみが配置されていてもよい。この場合、図９に示される壁パネル１Ｃのように、第１光源３０を配置せずに、第２光源４０のみを配置してもよい。図９に示される構成の壁パネル１Ｃであっても、第２光源４０から出射して第２導光層２０内を導光する光は、第２導光層２０から出射して第１導光層１０に入射する。このとき、上記実施の形態１のように、本変形例でも、第１導光層１０の上面１２ａ及び第２導光層２０の上面２２ａから離れる方向においては第２導光層２０の方が第１導光層１０よりも相対的に直進光が多くなるので、上面１２ａ及び２２ａから離れるほど、第２導光層２０から第１導光層１０に入射する光の割合が多くなる。
【００９８】
したがって、本変形例のように、第１光源３０が配置されていない場合であっても、第２導光層２０の光を第１導光層１０に入射させて鏡６又はカウンター７等の備品の下方部分にまで行き渡らせることができる。このため、壁パネル１Ｃの前面に鏡６又はカウンター７等の備品が設置された場合であっても、備品の下方部分が他の部分と比べて暗く感じることを抑制することができる。また、第２光源４０の光出力等を調整することで、壁パネル１Ｃの前面全体を均一に光らせることもが可能である。なお、本変形例は、上記実施の形態２の構造にも適用することができる。
【００９９】
また、上記実施の形態１、２では、第１光源３０と第２光源４０とは別体であったが、これに限らない。具体的には、図１０に示される壁パネル１Ｄのように、第１光源３０と第２光源４０とは一体となっていてもよい。この場合、図１０に示すように、第１光源３０の基板３１と第２光源４０の基板４１とを１つの長尺状の基板１００として構成するとよい。そして、この１つの基板１００に、第１光源３０の発光素子３２と第２光源４０の発光素子とを実装すればよい。本変形例に係る壁パネル１Ｄについても、上記実施の形態１と同様の効果を奏する。なお、本変形例は、上記実施の形態２の構造にも適用することができる。
【０１００】
また、上記実施の形態において、第１光源３０及び第２光源４０は、いずれも上側に配置されていたが、これに限らない。例えば、第１光源３０及び第２光源４０は、いずれも下側に配置されていてもよい。つまり、第１光源３０が第１導光層１０の下側の第１端面１２である下面１２ｂに対向して配置されるとともに、第２光源４０が第２導光層２０の下側の第２端面２２である下面２２ｂに対向して配置されていてもよい。
【０１０１】
また、上記実施の形態において、第１光源３０及び第２光源４０は、いずれも上側の同一面に配置されていたが、これに限らない。例えば、第１光源３０が第１導光層１０の上側の第１端面１２である上面１２ａに対向して配置されるとともに、第２光源４０が第２導光層２０の下側の第２端面２２である下面２２ｂに対向して配置されていてもよい。あるいは、第１光源３０が第１導光層１０の下側の第１端面１２である下面１２ｂに対向して配置されるとともに、第２光源４０が第２導光層２０の上側の第２端面２２である上面２２ａに対向して配置されていてもよい。
【０１０２】
また、上記実施の形態１、２では、壁パネル１、１Ａ、１Ｂに設置される浴室設備として、鏡６とカウンター７とを例示したが、これに限らない。例えば、壁パネル１、１Ａ、１Ｂには、浴室設備として、収納棚、タオル掛け、手すり、ランドリーパイプ又は窓等が設置されていてもよい。
【０１０３】
また、上記実施の形態１、２では、壁パネル１、１Ａ及び１Ｂは、浴室ユニットの壁に適用する例を示したが、これに限らず、浴室ユニット以外の壁にも適用できる。例えば、壁パネル１、１Ａ及び１Ｂは、建物の室内の壁等に適用してもよい。
【０１０４】
また、上記実施の形態１、２では、第１光源３０及び第２光源４０の発光素子３２及び４２はＬＥＤによって構成されていたが、これに限らない。例えば、第１光源３０及び第２光源４０の発光素子３２及び４２は、半導体レーザやスーパールミネッセントダイオード等の半導体発光素子、又は、有機ＥＬ（Ｅｌｅｃｔｒｏ  Ｌｕｍｉｎｅｓｃｅｎｃｅ）や無機ＥＬ等のＥＬ素子等のＬＥＤ以外の固体発光素子を用いてもよい。第１光源３０及び第２光源４０として、蛍光ランプや高輝度ランプ等の既存のランプを用いてもよい。
【０１０５】
その他、上記実施の形態に対して当業者が思いつく各種変形を施して得られる形態や、本発明の趣旨を逸脱しない範囲で上記実施の形態における構成要素及び機能を任意に組み合わせることで実現される形態も本発明に含まれる。
【符号の説明】
【０１０６】
１、１Ａ、１Ｂ  壁パネル
２  浴室ユニット
１０、１０Ｂ  第１導光層
１１  第１主面
１２  第１端面
１２ａ  上面（第１端面）
１２ｂ  下面（第１端面）
１３、２３  プリズム
２０、２０Ｂ  第２導光層
２１  第２主面
２２  第２端面
２２ａ  上面（第２端面）
２２ｂ  下面（第２端面）
３０  第１光源
４０  第２光源
５０  制御部
８０  光反射層
【図１】
2020181679.tif 000003
【図２】
2020181679.tif 000004
【図３】
2020181679.tif 000005
【図４】
2020181679.tif 000006
【図５】
2020181679.tif 000007
【図６】
2020181679.tif 000008
【図７】
2020181679.tif 000009
【図８】
2020181679.tif 000010
【図９】
2020181679.tif 000011
【図１０】
2020181679.tif 000012